(57)【要約】【課題】防盗板を後方側に少ししか回動させない状態でも、排出口扉が手前に開けられることを防止することができる自動販売機の商品取出口装置を提供する。【解決手段】商品取出口８の上部空間においてその支点を中心に下部側が後方に回動自在に第１防盗板２０を配設し、第１防盗板２０の近傍箇所に設けられた支持回動点２２を中心として第１防盗板２０の裏面近傍箇所で排出口扉１０に接近離間するように第２防盗板２３を回動可能に取り付ける。これにより、極めて細い手Ｈが挿入された場合など、第１防盗板２０が小さな角度しか回動しない場合であっても、排出口扉１０が手前に開けられることを阻止できて、防盗機能が良好に維持される。【選択図】    図７
2004259217.tif 000002
【特許請求の範囲】
【請求項１】
内箱内の商品収納部からの商品を商品取出口へ払い出すために内扉に開口させた商品排出口と、
この商品排出口を開閉する排出口扉と、
商品取出口の上部空間に配設され、後方に押されて第１回動角度だけ回動された場合に、前記排出口扉に当接または近接して、前記排出口扉が手前側に大きく開けられることを阻止する第１防盗板と、
第１防盗板の裏面箇所に回動可能に取り付けられ、待機状態で商品が商品排出口から払い出された際には手前側に回動して商品が商品取出口に払い出されることを許容する一方、第１防盗板が、前記第１回動角度よりも小さな第２回動角度で開かれた場合には、第１防盗板と排出口扉との間で突っ張って排出口扉が手前側に開けられることを阻止する第２防盗板とを備えた
ことを特徴とする自動販売機の商品取出口装置。
【請求項２】
第２防盗板は、第１防盗板の裏面またはその近傍箇所に設けられた支持回動点を中心として第１防盗板の裏面近傍箇所で排出口扉に接近離間するように回動可能に取り付けられ、前記支持回動点を中心に第１防盗板の裏面側から所定の規制開き角度よりも大きく開くことがストッパにより規制されているとともに、前記規制開き角度姿勢に開くように付勢する付勢手段が取り付けられていることを特徴とする請求項１記載の自動販売機の商品取出口装置。
【発明の詳細な説明】
【０００１】
【発明の属する技術分野】
本発明は自動販売機の商品取出口装置に関するものである。
【０００２】
【従来の技術】
図８に示すように、商品６を冷却したり加温したりして販売可能な自動販売機においては、外扉１を開閉自在に支持する自動販売機本体２内に、断熱性を有する内扉３にてその前面開口部を開閉可能な断熱構造の内箱４が配設されており、内箱４内に設けられた複数列の商品収納部５に缶などの商品６が多数収納されている。商品収納部５の下端部には、収納した商品６を順次払い出す払出装置７が配設され、この払出装置７にて払い出された商品６は、シュート１３により案内されて、内扉３の下部に設けられた商品排出口９を通して、外扉１の下部の商品取出口８に払い出される。
【０００３】
内扉３の商品排出口９には下部側が手前に回動自在で断熱性を有する排出口扉１０が設けられて、内箱４内の温度調節された空気が外部にあまり漏れないように図られている。
【０００４】
商品取出口８には、特許文献１にも開示されているように、盗難を防止するための防盗板が配設されている。すなわち、図９に示すように、商品取出口８の前面に設けられている取出口扉１１に加えて、取出口扉１１よりも奥側の箇所に、上方の支点１２ａを中心に下方側が回動自在に支持された防盗板１２が配設されている。
【０００５】
この防盗板１２は、商品６が商品収納部５から払い出されて、シュート１３を介して商品排出口９側に排出される場合には、図１０に示すように、防盗板１２も若干手前側に回動することで、排出口扉１０が手前側に回動することを許容して、商品６が商品取出口８内に支障をきたすことなく排出されるように構成されている。
【０００６】
一方、図１１に示すように、商品取出口８内に手Ｈが挿入された際には、この手Ｈに防盗板１２が当接して後方に大きく回動し、防盗板１２の下端が排出口扉１０に当接する。これにより、排出口扉１０が手前側に開くことが阻止されるので、自動販売機本体２内の商品６が盗難されることが防止される。
【０００７】
【特許文献１】
特開２００２−２４５５２４号公報
【０００８】
【発明が解決しようとする課題】
上記従来構成の防盗板１２を備えた商品取出口装置の構造において、一般の人の場合にはその手で防盗板１２を後方側に大きく押してしまうため、排出口扉１０が手前側に回動されることが阻止されて、防盗機能が発揮される。しかしながら、極めて手Ｈが細かったり、手首や腕の関節が軟らかかったりする人の場合には、図１２に示すように、防盗板１２を後方側に少ししか回動させない状態で、手Ｈを奥側まで差し込むことが可能な場合があり、この場合には、排出口扉１０を手前に開けて、内箱４内の商品６を触ることも可能となり、防盗機能が不十分となる恐れがある。
【０００９】
本発明は上記課題を解決するもので、防盗板を後方側に少ししか回動させない状態でも、排出口扉が手前に開けられることを防止することができる自動販売機の商品取出口装置を提供することを目的とする。
【００１０】
【課題を解決するための手段】
上記課題を解決するために本発明の自動販売機の商品取出口装置は、内箱内の商品収納部からの商品を商品取出口へ払い出すために内扉に開口させた商品排出口と、この商品排出口を開閉する排出口扉と、商品取出口の上部空間に配設され、後方に押されて第１回動角度だけ回動された場合に、前記排出口扉に当接または近接して、前記排出口扉が手前側に大きく開けられることを阻止する第１防盗板と、第１防盗板の裏面箇所に回動可能に取り付けられ、待機状態で商品が商品排出口から払い出された際には手前側に回動して商品が商品取出口に払い出されることを許容する一方、第１防盗板が、前記第１回動角度よりも小さな第２回動角度で開かれた場合には、第１防盗板と排出口扉との間で突っ張って排出口扉が手前側に開けられることを阻止する第２防盗板とを備えたことを特徴とする。
【００１１】
この構成により、極めて細い手が挿入された場合など、第１防盗板が小さな角度しか回動しない場合であっても、第２防盗板に排出口扉が当接するとともに第２防盗板が突っ張って排出口扉の手前側への回動が阻止され、この結果、排出口扉が手前に開けられることを阻止できて、防盗機能が良好に維持される。
【００１２】
請求項２記載の発明は、請求項１記載の自動販売機の商品取出口装置において、第２防盗板は、第１防盗板の裏面またはその近傍箇所に設けられた支持回動点を中心として第１防盗板の裏面近傍箇所で排出口扉に接近離間するように回動可能に取り付けられ、前記支持回動点を中心に第１防盗板の裏面側から所定の規制開き角度よりも大きく開くことがストッパにより規制されているとともに、前記規制開き角度姿勢に開くように付勢する付勢手段が取り付けられていることを特徴とする。
【００１３】
この構成により、待機状態で商品が商品排出口から払い出された際には、付勢手段の付勢力に抗して第２防盗板が手前側に回動して商品が商品取出口に払い出されることを許容する一方、第１防盗板が、前記第１回動角度よりも小さな第２回動角度で開かれた場合には、ストッパにより第２防盗板が第１防盗板と排出口扉との間で突っ張って排出口扉が手前側に開けられることを阻止する。
【００１４】
【発明の実施の形態】
以下、本発明の実施の形態にかかる自動販売機の商品取出口装置を図面に基づき説明する。なお、従来の自動販売機の構成要素とは商品取出口箇所だけが異なるため、この箇所について重点的に説明し、従来の自動販売機の構成要素と略同機能のものには同符号を付す。
【００１５】
図１および図２に示すように、この自動販売機においては、従来の防盗板と同様な機能を有する第１防盗板２０の裏面に、断面略Ｌ字形状の取付ブラケット２１が溶着され、この取付ブラケット２１の後端部に、支持回動軸２２を介して第２防盗板２３が回動可能に取り付けられている。なお、図２に示すように、第１防盗板２０は、その上端部に形成された側方突出部２０ａが、商品取出口８の側面部上部に形成された筒状丸孔壁８ｃに挿入されて回動自在に支持されている。また、取出口扉１１はその上端部に設けられた軸部１１ａを中心に回動自在に支持されている。
【００１６】
図３に拡大して示すように、取付ブラケット２１の後端部と第２防盗板２３の前端部とには支持回動軸２２が挿通されるヒンジ部２１ａ，２３ａがそれぞれカール状成形により一体形成されているとともに、このヒンジ部２１ａ，２３ａの近傍箇所に、取付ブラケット２１に対する第２防盗板２３の開き角度を規制するストッパ２１ｂ，２３ｂが一体形成されており、このストッパ２１ｂ，２３ｂにより、取付ブラケット２１に対する第２防盗板２３の開き角度が、図２に示す最大開き角度Ｃとなった場合に互いに当接して、この開き角度Ｃよりも大きく開くことが規制されるようになっている。
【００１７】
また、取付ブラケット２１のヒンジ部２１ａと第２防盗板２３のヒンジ部２３ａとの間の隙間には、付勢ばね２４が支持回動軸２２に外装された姿勢で取り付けられており、この付勢ばね２４の端部が取付ブラケット２１の下面部と第２防盗板２３の下面部とに当接して配置されることで、この付勢ばね２４により取付ブラケット２１に対して第２防盗板２３が開き方向に付勢されている。
【００１８】
なお、図２における８ａは商品取出口８の前面開口部、８ｂは取出口８の上面部８ｄに取り付けられた上面当て板、１０ａは排出口扉１０の回動支点である。また、図示しないが、第１防盗板２０は、図４に示す姿勢より手前側には回動しないように規制されている。
【００１９】
この構成において、商品６の払出指示があり、図２に示すように、第１防盗板２０に対して外力が作用していない待機状態において、商品６が商品収納部５から払い出されて、シュート１３を介して商品排出口９側に排出された場合には、図４に示すように、排出口扉１０が手前側に回動しようとする。この際、排出口扉１０が手前側に回動して第２防盗板２３の先端に当接するが、この場合の排出口扉１０から第２防盗板２３へ作用する力の方向ａは、排出口扉１０と第２防盗板２３との当接点における、上端部の回動支点１０ａを結ぶ線分Ｌに直交する方向であり、第２防盗板２３の支持回動軸２２からの延設方向よりも手前側下方であるため、図５に示すように、第２防盗板２３は、付勢ばね２４に抗して第１防盗板２０の裏面側に近接して折り畳むように回動して、排出口扉１０の開方向への回動を許容する。これにより、商品６は商品排出口９を通って、支障をきたすことなく商品取出口８内に排出される。
【００２０】
一方、商品取出口８内に手Ｈが挿入されて、図６に示すように、この手Ｈに第１防盗板２０が当接して後方に大きく回動した場合（ここで、図６における角度Ｂは、第１防盗板２０の待機状態からの回動角度（第１回動角度と称す）である）には、第１防盗板２０の先端が排出口扉１０近傍に位置するため、排出口扉１０が少し手前側に開いた時点で第１防盗板２０に当接して排出口扉１０がそれ以上開くことが阻止される。これにより、排出口扉１０が手前側に開くことが阻止され、自動販売機本体２内の商品６が盗難されることが防止される。なお、この際、第２防盗板２３はその裏面側で商品取出口８の上面部８ｂに当接し、付勢ばね２４に抗して折り畳み方向に回動する。なお、このようにして回動した第２防盗板２３の先端部により、排出口扉１０が手前側に開くことを阻止させるように構成してもよい。
【００２１】
また、特に、図７に示すように、取出口扉１１が開けられて、第１防盗板２０の先端（下端）と、商品取出口８の前面開口部８ａの下端８ｅとの間の隙間から手Ｈを差し入れようとした場合に、この手Ｈが極めて細かったり、小さかったりした場合には、第１防盗板２０が、前記第１回動角度Ｂよりも小さな第２回動角度α（または角度β、あるいは角度γ）しか回動しない。しかしながら、このような場合でも、第１防盗板２０に伴って移動した第２防盗板２３が、排出口扉１０が手前側に開けられようとした際にこの排出口扉１０に当接するとともに突っ張って排出口扉１０の手前側への回動を阻止する。すなわち、第１防盗板２０が、小さな第２回動角度α、β、γしか回動しない場合でも、排出口扉１０が手前側に回動して第２防盗板２３の先端に当接した際の排出口扉１０から第２防盗板２３へ作用する力の方向ｂは、第２防盗板２３の支持回動軸２２からの延設方向に沿う方向（図７において実線で示す第２回動角度αの場合）、あるいは、第２防盗板２３の支持回動軸２２からの延設方向よりも手前側上方となるため、第２防盗板２３は、そのストッパ２３ｂ（図３参照）が取付ブラケット２１のストッパ２１ｂに当接して開ききった姿勢を維持して、この結果、第２防盗板２３は排出口扉１０に当接した際でも突っ張って排出口扉１０の手前側への回動を阻止する。
【００２２】
これにより、極めて手Ｈが細かったり、手首や腕の関節が軟らかかったりする人に対しても、排出口扉１０を手前に開けることを確実に阻止できる。この結果、何れの場合でも、自動販売機本体２内の商品６が盗難されることを確実に防止できる。
【００２３】
なお、上記実施の形態では、第１防盗板２０の裏面に取付ブラケット２１を固着し、この取付ブラケット２１のヒンジ部２１ａに挿入した支持回動軸２２を介して、第２防盗板２３を回動自在に支持させた場合を述べたが、これに限るものではなく、第１防盗板２０の裏面部自体にヒンジ部を設けて、支持回動軸２２を介して、第２防盗板２３を回動自在に支持させてもよい。なお、この場合にも、位置規制用のストッパを設ける必要がある。
【００２４】
【発明の効果】
以上のように本発明によれば、排出口扉が手前側に大きく開けられることを阻止する第１防盗板と、第１防盗板の裏面箇所に回動可能に取り付けられ、第１防盗板が小さな角度で開かれた場合には、第１防盗板と排出口扉との間で突っ張って排出口扉が手前側に開けられることを阻止する第２防盗板とを備えたことにより、極めて細い手が挿入された場合など、第１防盗板が小さな角度しか回動しない場合であっても、排出口扉が手前に開けられることを阻止できて、防盗機能が良好に維持される。
【図面の簡単な説明】
【図１】本発明の実施の形態にかかる自動販売機の全体側面断面図である。
【図２】同自動販売機の商品取出口装置の側面図であり、待機状態を示す。
【図３】同商品取出口装置の取付ブラケット、支持回動軸、第２防盗板などを示す分解斜視図である。
【図４】同商品取出口装置の側面図であり、商品払出時の状態を示す。
【図５】同商品取出口装置の側面図であり、商品が商品排出口に払い出された時の状態を示す。
【図６】同商品取出口装置の側面図であり、商品取出口内に手が差し込まれた状態を示す。
【図７】同商品取出口装置の側面図であり、商品取出口内に細い手が差し込まれた状態を示す。
【図８】従来の自動販売機の全体側面断面図である。
【図９】同従来の自動販売機の商品取出口装置の側面図であり、待機状態を示す。
【図１０】同従来の商品取出口装置の側面図であり、商品が商品排出口に払い出された時の状態を示す。
【図１１】同従来の商品取出口装置の側面図であり、商品取出口内に手が差し込まれた状態を示す。
【図１２】同従来の商品取出口装置の側面図であり、商品取出口内および内箱内に細い手が差し込まれた状態を示す。
【符号の説明】
５        商品収納部
６        商品
８        商品取出口
９        商品排出口
１０      排出口扉
２０      第１防盗板
２１      取付ブラケット
２１ａ，２３ａ    ヒンジ部
２１ｂ，２３ｂ    ストッパ
２２      支持回動軸
２３      第２防盗板
２４      付勢ばね（付勢手段）
【図１】
2004259217.tif 000003
【図２】
2004259217.tif 000004
【図３】
2004259217.tif 000005
【図４】
2004259217.tif 000006
【図５】
2004259217.tif 000007
【図６】
2004259217.tif 000008
【図７】
2004259217.tif 000009
【図８】
2004259217.tif 000010
【図９】
2004259217.tif 000011
【図１０】
2004259217.tif 000012
【図１１】
2004259217.tif 000013
【図１２】
2004259217.tif 000014